(57)【特許請求の範囲】
【請求項１】
建築物の躯体に固定される面と該面から直角に突出する面を有する断面Ｌ字形のアングルに対し、壁パネルの裏面を該アングルの直角に突出する面に面し、該壁パネルの小口面を該アングルの該躯体に固定される面の方向に配し、該壁パネルの裏面に該壁パネル内部に埋設されたアンカー鋼棒に係合し該壁パネル裏面から突出しているＯボルトと係合するように取り付けられたイナズマ形プレートにより、該イナズマ形プレートが該アングルの直角に突出する面を押し付けるようにすることおよび該イナズマプレートのパネルから乖離した側のプレート辺が該アングルと該アングルから突出する突出辺の隙間に嵌入することによって、該壁パネルを取り付ける壁パネルの取付構造において、該アングル及び該イナズマ形プレートが、該壁パネルの上方と下方の双方にあるいはいずれかの一方に、若しくは、該壁パネルの左側と右側の双方にあるいはいずれかの一方に取り付けられ、かつ、該アングルの直角に突出する面に断面略Ｌ字状の突出片が、該突出片と該アングルの面との間に該イナズマ形プレートのパネルから乖離した側のプレート辺が嵌め込める隙間を有する状態に設けられ、該隙間に該イナズマ形プレートの辺が該Ｏボルトと該イナズマ形プレートを係合させた状態で嵌め込まれて壁パネルが取り付けられていることを特徴とする壁パネルの取付構造。
【発明の詳細な説明】
【０００１】
【発明の属する技術分野】
本発明は、建築用壁パネルの取付構造に係り、特に乾式構法で壁パネルを取り付ける際に好適な壁パネルの取付構造に関するものである。
【０００２】
【従来の技術】
従来の壁パネルの取付構造の例を図１９、図２０を用いて説明する。図１９に示す第１の従来例は、躯体コンクリート５１の下面に断面Ｌ字形のアングル５２が固定され、壁パネル５３の上部内面に固定されたイナズマ形プレート５４が、断面Ｌ字形のアングル５２の直角に突出する面５２ａを押し付けるようにすることによって壁パネル５３を取り付けており、イナズマ形プレート５４は、断面Ｌ字形のアングル５２の直角に突出する面５２ａに溶接（溶接部５８）で固定される。
【０００３】
また、図２０に示す第２の従来例では、躯体コンクリート５１の下面に断面Ｌ字形のアングル５２が固定され、壁パネル５３の上部内面に固定されたイナズマ形プレート５４が、断面Ｌ字形のアングル５２の直角に突出する面５２ａを押し付けるようにすることによって壁パネル５３を取り付けているのは、第１の従来例と同じであるが、イナズマ形プレート５４は、断面Ｌ字形のアングル５２の直角に突出する面５２ａに溶接で固定されていない。なお、図１９、図２０で示した従来例では、イナズマ形プレート５４は、壁パネル５３に対して、アンカー鋼棒５５、Ｏボルト５６、ナット５７を用いて固定されているが、それ以外の固定方法を用いて固定される場合もある。
【０００４】
【発明が解決しようとする課題】
しかしながら、前述の第１の従来例では、イナズマ形プレート５４を断面Ｌ字形のアングル５２の直角に突出する面５２ａに溶接で固定するため、溶接作業の手間が発生する。また、溶接部５８の品質が現場作業者の溶接技能に依存しているため、一定の品質を確保しにくく、取付部分の強度の信頼性にも問題があった。
【０００５】
また、前述の第２の従来例では、イナズマ形プレート５４を断面Ｌ字形のアングル５２の直角に突出する面５２ａに溶接で固定しないため、イナズマ形プレート５４に、てこの作用が起こり、壁パネル５３の上部内面の固定ボルト５５に大きな荷重が作用するため、イナズマ形プレート５４の幅や長さの寸法を、第１の従来例との比較で、大きくする必要があった。そのため、施工現場で、イナズマ形プレート５４が嵩張るため、輸送や取り扱いが繁雑になる上、イナズマ形プレート５４の製造コストも高くなるなどの問題があった。
【０００６】
【課題を解決するための手段】
前記目的を達成するための本発明に係る代表的な構成は、建築物の躯体に固定される面と該面から直角に突出する面を有する断面Ｌ字形のアングルに対し、壁パネルの裏面を前記アングルの直角に突出する面に面し、壁パネルの小口面を前記アングルの躯体に固定される面の方向に配し、壁パネルの裏面に該壁パネル内部に埋設されたアンカー鋼棒に係合し該壁パネル裏面から突出しているＯボルトと係合するように取り付けられたイナズマ形プレートにより、イナズマ形プレートが前記アングルの直角に突出する面を押し付けるようにすることおよび該イナズマプレートのパネルから乖離した側のプレート辺が該アングルと該アングルから突出する突出辺の隙間に嵌入することによって、壁パネルを取り付ける壁パネルの取付構造において、前記アングル及びイナズマ形プレートが、壁パネルの上方と下方の双方にあるいはいずれかの一方に、若しくは、壁パネルの左側と右側の双方にあるいはいずれかの一方に取り付けられ、かつ、前記アングルの直角に突出する面に断面略Ｌ字状の突出片が、該突出片と前記アングルの面との間にイナズマ形プレートのパネルから乖離した側のプレート辺が、嵌め込める隙間を有する状態に設けられ、該隙間に前記イナズマ形プレートの辺が該Ｏボルトと該イナズマ形プレートを係合させた状態で嵌め込まれて壁パネルが取り付けられていることを特徴とする壁パネルの取付構造である。
【０００７】
本発明は、上述の如く構成したので、前記した直角に突出する面に形成した断面略Ｌ字状の突出片と、該直角に突出する面との間の隙間に、イナズマ形プレートのパネルから乖離した側のプレート辺が嵌め込まれているため、イナズマ形プレートを該直角に突出する面に溶接することなく、所定の強度を発揮することが可能になる。
【０００８】
本発明の場合の取付部分に作用する荷重の関係を、第１の従来例（図１６）、あるいは、第２の従来例（図１７）との比較で、図１８を用いて説明する。取付部分に作用する荷重をＰとし、Ｏボルト６に作用する荷重をＸとすると、第２の従来例（図１７）の場合は、イナズマ形プレート４の先端９を支点とした「てこの作用」で、Ｘ＝（ｂ／ａ）×Ｐとなり、ＸはＰより大きな荷重が作用することになる。例えば、ｂが４ｃｍで、ａが２ｃｍである場合を考えると、Ｘ＝２×Ｐとなり、Ｏボルト６に作用する荷重Ｘは、取付部分に作用する荷重Ｐの２倍になる。しかも、これらのｂ，ａの寸法は現場での誤差寸法により大きくずれることが想定され、一定の強度を安定的に確保するためには、強度設計上、予め、余裕を持たせた設計が必要である。
【０００９】
さらに、第１の従来例（図１６）の場合は、イナズマ形プレート４が断面Ｌ字形のアングル３の直角に突出する面３ｂに溶接固定されているため「てこの作用」は起こらず、Ｘ＝Ｐとなり、ＸはＰと同じ大きさの荷重が作用することになる。この従来例では、強度を確保する方法としては、一般的であるが、作業者の溶接技能にその強度性能が左右されるため、信頼性が不足するという問題もあった。
【００１０】
一方、本発明では、断面Ｌ字形のアングル３の直角に突出する面３ｂの先端１０からイナズマ形プレート４に作用する荷重をＰ１、断面略Ｌ字状の突出片３ｃからイナズマ形プレート４に作用する荷重をＰ２とすると、Ｘ＝（Ｐ１−Ｐ２）＝Ｐとなり、Ｐ２荷重が作用するため、イナズマ形プレート４が断面Ｌ字形のアングル３の直角に突出する面３ｂに溶接固定されていないにも係わらず「てこの作用」は起こらず、Ｘ＝Ｐとなり、ＸはＰと同じ大きさの荷重が作用することになる。溶接技能にも依存せず、簡単な取付構造で、一定の安定した強度確保が可能になる。
【００１１】
また、本発明では、断面Ｌ字形のアングル材として、熱間成形された市販のアングル材を加工することによって断面略Ｌ字状の突出片を形成してもよいし、３．２ｍｍなどの薄板を曲げ加工し断面Ｌ字形とし、さらに、断面略Ｌ字状の突出片を形成して使用してもよい。
【００１２】
【発明の実施の形態】
図１から図１５により、本発明に係る壁パネルの取付の例として、アングル及びイナズマ形プレートが、壁パネルの上方に配される場合の取付構造の実施形態を具体的に説明する。図１、図６から図１１は本発明に係る壁パネルの取付構造を示す斜視説明図（Ａ）および縦断面説明図（Ｂ）、図２から図５は、本発明に係る壁パネルの取付構造のその他の実施の形態を示す斜視説明図（Ａ）、図１２は、建築物の躯体が鉄骨である場合の実施の形態を示す縦断面説明図（Ｂ）、図１３は、イナズマ形プレートの嵌め込み手順の例を示す説明図である。
【００１３】
図１から図１１に示すように、本発明に係る壁パネル上部の取付構造では、断面Ｌ字形のアングル３は、壁パネル２の幅寸法に対応した長さに切断され、躯体コンクリート１の下面の所定の位置に、建築物の躯体に固定される面３ａに設けられた取付用の穴３ｄを用い図示しない銃砲ピンで固定されている。壁パネル２の上部には、壁パネル２内部に幅方向に配置して埋設されたアンカー鋼棒５が設けてあり、このアンカー鋼棒５に係合するＯボルト６が壁パネル２の裏面から突出している。
【００１４】
そして、壁パネル２の裏面を、断面Ｌ字形のアングル３の直角に突出する面３ｂに面して、壁パネル２を起立させ、イナズマ形プレート４の取付用の長穴４ｂを通して、Ｏボルト６とナット７を締め込むことにより、イナズマ形プレート４を固定し、断面Ｌ字形のアングル３の直角に突出する面３ｂにイナズマ形プレート４の乖離した側のプレート辺４ａを押し付けるようにすることによって、壁パネル２を取り付けている。
【００１５】
この際に、イナズマ形プレート４の乖離した側のプレート辺４ａを、断面Ｌ字形のアングル３の直角に突出する面３ｂに設けられた断面略Ｌ字状の突出片３ｃと該直角に突出する面３ｂの間の隙間３ｅに嵌め込んでいる。直角に突出する面３ｂに設けられた断面略Ｌ字状の突出片３ｃは、図１のように、上から下に向かって突出させてもよいし、図２のように、横方向に向かって突出させてもよい。また、図３のように、上から下にと横方向に向かっての２方向から突出片を支持するように、断面略Ｌ字状の突出片３ｃを設けてもよく、図４のように、上からと左右から突出片を支持するように、断面略Ｌ字状の突出片３ｃを設けることもできる。さらには、図６のように、左右から突出片を支持するように、断面略Ｌ字状の突出片３ｃを設けてもよい。あるいは、図７のように、断面Ｌ字形のアングル３の直角に突出する面３ｂの長さ全体にわたり突出している部分３ｃがあり、その一部に隙間３ｅが設けられていてもよい。
【００１６】
図１から図７に示した実施の形態では、断面略Ｌ字状の突出片３ｃによって設けられる隙間３ｅは、下方向に向かって開口しているが、隙間３ｅの開口している方向は、下方向のみに限定されるものではない。隙間３ｅは、図８から図１０に示すように、水平方向に向かって開口していてもよく、図１１に示すように、上方向に向かって開口していてもよい。
【００１７】
また、図８から図１１のように、イナズマ形プレート４の先端などに屈曲部４ｆを設けて、隙間３ｅに差し込むようにすることもできる。さらには、図１０に示すように、断面Ｌ字形のアングル３の直角に突出する面３ｂは、壁パネル２に対して空き寸法を確保した構造であってもよい。その際に、壁パネル２の位置決めをより確実にする必要がある場合には、直角に突出する面３ｂの所定の位置に、スペーサー１２を設置することもできる。また、スペーサー１２を用いるかわりに、直角に突出する面３ｂの所定の位置を、予め工場などで打出加工して、局部的に、壁パネル２に接するようにし、スペーサー１２を省略することも可能である。
【００１８】
さらには、イナズマ形プレート４として、図５に示すような、リブ形状を設けたイナズマ形プレート４を用いてもよい。リブ形状を設けたイナズマ形プレート４は、リブ４ｃが設けてあるため、プレートの厚さを薄く薄板に出来たが、そのかわり、第１の従来例のように、溶接を使用する場合には、薄板を溶接するために、特に、高い溶接技能を要求されるという問題点があった。しかし、本発明によれば、溶接する必要がないため、作業者の溶接技能に依存しない、強度の信頼性が確保できる特に好適な仕様となる。
【００１９】
また、図１２では、躯体が鉄骨である場合の実施の形態を示しており、躯体鉄骨８の下面の所定の位置に、建築物の躯体に固定される面３ａを溶接により固定されている。それ以外は、躯体がコンクリートである場合の実施の形態と同様である。図１３では、イナズマ形プレート４を隙間３ｅに嵌め込む手順の例を示している。手順１では、壁パネル２を直角に突出する面３ｂに面して起立させたとき、ナット７を緩めておき、Ｏボルト６を５度程度下方に傾けておき、イナズマ形プレート４は、取付用の長穴４ｂに沿って下方に下げておく。手順２で、イナズマ形プレート４を隙間３ｅに嵌め込む。手順３で、ナット７を締め込みイナズマ形プレート４を固定する。ナット７を締め込むことによって、Ｏボルト６下方への傾きはなくなり、ナット７が大きく緩まない限り、イナズマ形プレート４が隙間３ｅから外れることはない。このように、断面略Ｌ字状の突出片３ｃによってできる隙間３ｅは、イナズマ形プレート４の乖離した側のプレート辺４ａを簡単に嵌め込むことができ、施工性が容易である。なお、図８から図１１に示したように、イナズマ形プレート４の先端部などに屈曲部４ｆを設けた場合には、作業性は、少々劣るようになるが、そのかわり、嵌め込みが完了すれば、より確実に固定されるという長所がある。
【００２０】
また、イナズマ形プレート４を隙間３ｅに嵌め込む施工の手順では、図７に示した以外にも、あらかじめ壁パネル２に内設された埋込ナットにボルトで固定する場合には、イナズマ形プレート４を隙間３ｅに嵌め込んだ後、ボルトにて固定すれば、問題なく施工できる。このように、イナズマ形プレート４を壁パネル２に取り付ける固定方法に応じて、施工の手順を、適宜対応させることが可能である。
【００２１】
以上の実施の形態では、いずれも、断面Ｌ字形のアングル３及びイナズマ形プレート４が、壁パネル２の上方に配される場合の取付構造の実施形態を具体的に説明したが、断面Ｌ字形のアングル３及びイナズマ形プレート４が、壁パネル２の下方、左側、右側に配される場合も同様に使用できる。また、実施の形態では、断面Ｌ字形のアングル３は、壁パネル２の幅寸法程度の短さで説明したが、実際には、壁パネル２が数枚にわたる長さの断面Ｌ字形のアングルを用いてもかまわない。さらに、実施の形態では、イナズマ形プレート４は壁パネル２に、アンカー鋼棒５およびＯボルト６を用い、ナット７にて固定されているが、これ以外の固定方法を採用することも可能であり、あらかじめ壁パネル２に内設された埋込金物を用いたり、ストレートボルトを用いるなど、その固定方法は限定しない。
【００２２】
また、図１から図１１に示した躯体がコンクリートである場合の実施の形態では、断面Ｌ字形のアングル３の躯体に固定される面３ａは、取付用の穴３ｄを用いて、図示しない銃砲ピンで躯体コンクリート１に固定されているが、あらかじめ躯体コンクリート１に埋め込まれた金物に溶接固定したり、後施工アンカーを用いてボルト止めするなどの、他の固定方法をとることも可能である。さらに、図１２に示した躯体が鉄骨である場合の実施の形態では、断面Ｌ字形のアングル３の躯体に固定される面３ａは、溶接で躯体鉄骨８に固定されているが、躯体鉄骨８にあらかじめ穴開けを行い、ボルト止めすることにより固定することも可能である。
【００２３】
また、図１から図１１に示した躯体がコンクリートである場合の実施の形態では、躯体に固定される面３ａにパネルの小口面が面しているが、図１２に示した躯体が鉄骨である場合の実施の形態では、躯体に固定される面３ａにパネルの小口面が面していない。このように、本発明では、躯体がコンクリートあるいは鉄骨であるに係わらず、パネルの小口面を躯体に固定される面３ａの方向に配してあればよい。
【００２４】
また、断面略Ｌ字状の突出片３ｃは、断面Ｌ字形のアングル３の直角に突出する面３ｂに、溶接や接着剤で一体化し設けてもよいが、断面Ｌ字形のアングル３を予め工場などで打出加工を行い、直角に突出する面３ｂと一体に形成しておくのが、強度上も、断面略Ｌ字状の突出片３ｃを設ける手間を軽くする上でも、好適である。イナズマ形プレートの他の実施の形態として、図１４に示すように、乖離した側のプレート辺４ａに取付用の長穴４ｂが設けられている形式、あるいは、図１５に示すように、フラット形プレート４ｄを用い、壁パネル２と該フラット形プレート４ｄとの間に穴開き添えプレート４ｅを挟み込む形式であっても、その作用効果は同様である。
【００２５】
【発明の効果】
本発明は、上述の如き構成と作用とを有するので、イナズマ形プレートが、断面Ｌ字形のアングルの断面略Ｌ字状の突出片と直角に突出する面の間の隙間に嵌め込んでおり、イナズマ形プレートを断面Ｌ字形のアングルの直角に突出する面に溶接をしなくとも、溶接した場合と同等の強度を確保できる。そして、現場での繁雑な溶接作業をなくすることが可能であり、作業者の溶接技能に左右されずに、一定の強度品質を確保することが容易となる。
【００２６】
また、溶接なしで、単に、イナズマ形プレートを断面Ｌ字形のアングルの直角に突出する面に押し当てただけの仕様との比較で、イナズマ形プレートの寸法を小さくすることができ、現場での作業性を向上させることができ、取付部強度が現場での寸法のバラツキに左右されにくく、やはり、一定の強度品質を確保することが容易となる。
【図面の簡単な説明】
【図１】本発明に係る壁パネルの取付構造を示す斜視説明図（Ａ）および縦断面説明図（Ｂ）
【図２】本発明に係る壁パネルの取付構造の実施の形態を示す斜視説明図
【図３】本発明に係る壁パネルの取付構造の実施の形態を示す斜視説明図
【図４】本発明に係る壁パネルの取付構造の実施の形態を示す斜視説明図
【図５】本発明に係る壁パネルの取付構造の実施の形態を示す斜視説明図
【図６】本発明に係る壁パネルの取付構造を示す斜視説明図（Ａ）および縦断面説明図（Ｂ）
【図７】本発明に係る壁パネルの取付構造を示す斜視説明図（Ａ）および縦断面説明図（Ｂ）
【図８】本発明に係る壁パネルの取付構造を示す斜視説明図（Ａ）および縦断面説明図（Ｂ）
【図９】本発明に係る壁パネルの取付構造を示す斜視説明図（Ａ）および縦断面説明図（Ｂ）
【図１０】本発明に係る壁パネルの取付構造を示す斜視説明図（Ａ）および縦断面説明図（Ｂ）
【図１１】本発明に係る壁パネルの取付構造を示す斜視説明図（Ａ）および縦断面説明図（Ｂ）
【図１２】建築物の躯体が鉄骨である場合の実施の形態を示す縦断面説明図
【図１３】イナズマ形プレートの嵌め込み手順の例を示す説明図
【図１４】本発明に係る壁パネルの取付構造で、イナズマ形プレートの他の実施の形態を示す斜視説明図（Ａ）および縦断面説明図（Ｂ）
【図１５】本発明に係る壁パネルの取付構造で、イナズマ形プレートの他の実施の形態を示す斜視説明図（Ａ）および縦断面説明図（Ｂ）
【図１６】第１の従来例の取付部分に作用する荷重の関係
【図１７】第２の従来例の取付部分に作用する荷重の関係
【図１８】本発明の場合の取付部分に作用する荷重の関係
【図１９】第１の従来例を示す図である。
【図２０】第２の従来例を示す図である。
【符号の説明】
１ 躯体コンクリート
２ （軽量気泡コンクリート）壁パネル
３ 断面Ｌ字形のアングル
３ａ 建築物の躯体に固定される面
３ｂ 直角に突出する面
３ｃ 断面略Ｌ字状の突出片
３ｄ 取付用の穴
３ｅ 隙間
４ イナズマ形プレート
４ａ 乖離した側のプレート辺
４ｂ 取付用の長穴
４ｃ リブ
４ｄ フラット形プレート
４ｅ 穴開き添えプレート
４ｆ 屈曲部
５ アンカー鋼棒
６ Ｏボルト
７ ナット
８ 躯体鉄骨
９ イナズマ形プレート４の先端
１０ 直角に突出する面３ｂの先端
１１ 小口面
１２ スペーサー
５１ 躯体コンクリート
５２ 断面Ｌ字形のアングル
５２ａ 直角に突出する面
５３ 壁パネル
５４ イナズマ形プレート
５５ アンカー鋼棒
５６ Ｏボルト
５７ ナット
５８ 溶接部
【図１】
0003910271.tif 000002
【図２】
0003910271.tif 000003
【図３】
0003910271.tif 000004
【図４】
0003910271.tif 000005
【図５】
0003910271.tif 000006
【図６】
0003910271.tif 000007
【図７】
0003910271.tif 000008
【図８】
0003910271.tif 000009
【図９】
0003910271.tif 000010
【図１０】
0003910271.tif 000011
【図１１】
0003910271.tif 000012
【図１２】
0003910271.tif 000013
【図１３】
0003910271.tif 000014
【図１４】
0003910271.tif 000015
【図１５】
0003910271.tif 000016
【図１６】
0003910271.tif 000017
【図１７】
0003910271.tif 000018
【図１８】
0003910271.tif 000019
【図１９】
0003910271.tif 000020
【図２０】
0003910271.tif 000021